(57)【要約】【課題】  空き缶の切断、潰しの各作業を、踏み台を足で踏むだけで行うことができて、その作業の手間や労力が少なくてすむ踏込み式缶潰し機を提供することを目的とする。【解決手段】  ベース板上の前部両端に第１軸管４を立設して管内に、後部の空き缶を切断する切断台７ｂと直結した第２軸管を内設、そ下部に隣接して空き缶を押さえる押さえ台と直結した第３軸管を内設、また、第１管軸管の左右両内面に二溝ある案内溝を取り付け前面に操作盤を挿通させ、後面に缶潰し機構と連結された接続板を挿通させて、操作盤に切断ボタン軸棒５ｃと潰しボタン軸棒５ｄ及び踏み台５ａを装備、切断ボタン軸棒５ｃを押し操作盤と切断台７ｂを接続、また、潰しボタンを押し操作盤と接続板を接続して、操作盤の踏み台を踏み込んで可動することを特徴とする踏込み式缶潰し機。【選択図】図２
2015145027.tif 000002
【特許請求の範囲】
【請求項１】
ベース板上の前方両端に第１軸管を立設して、その中に第２軸管、第３軸管を内設して、第２軸管を支柱として切断刃を備えた切断台と直結して、下部に隣接して、第３軸管を支柱として押さえ刃を備えた押さえ台と直結して、両第１管軸の間の側面に２溝の案内溝を縦に取り付け、前部の正面に操作盤を後部に隣接して接続板を挿通させ、操作盤には正面上部に潰しボタン軸棒、切断ボタン軸棒を配設、両端部にスプリング、下端部に踏み台を備え、切断ボタン軸棒を押し、操作盤と前記切断台を接続して踏み台を踏み込み、切断台が押さえ台を押さえて共に下方に可動する、また、操作盤に配設している潰しボタン軸棒を押し、操作盤と缶潰し機構に連結している後部の接続板を接続して、踏み台を踏み込んで可動することを特徴とする踏込み式缶潰し機。
【請求項２】
缶潰し機構は、操作盤に配設している潰しボタン軸棒を押し、後部の接続板と接続して接続板の後面下部に接続軸棒を備え、缶潰し機構の受け軸を設け連結し、レバー、レバー軸を設け、隔壁上部に支軸を備え支柱にして、連結部材、連結軸、潰し軸棒、安定軸、缶潰し板を連結して操作盤の下部に設けている踏み台を踏み込み下方に可動させる請求項１に記載の踏込み式缶潰し機。
【発明の詳細な説明】
【技術分野】
【０００１】  本発明は、塗装現場、作業所等、多量の一斗缶の空き缶を潰す必要のあるところで使用する踏込み式缶潰し機に関するものである。
【背景技術】
【０００２】  従来、一斗缶の空き缶潰しにおいて、缶潰し作業は、空き缶を返し底の部分を上にして、缶切りを持って手動で小刻みに切断し、その後、足で踏み付けて潰している。
このため、空き缶の数量があると、危険で重労働であり、手間がかかる。【０００３】  又、従来の手押し式缶潰し機において、場所をとり、手押し式と云っても体重を乗せ重労働であり、幾度も置き換えて一つの缶を潰し多大な手間がかかる。例えば、特許文献１参照）
【先行技術文献】
【特許文献】
【０００４】
【特許文献１】  特許第４８５３８０５号
【０００５】  このため、手押し式缶潰し機においては、長いレバーの根元に空き缶を置き、レバーを手で握り体重を乗せて挟み潰している、この作業を幾度も空き缶を置き換えて一つの缶を潰している。
また、長いレバーで場所をとり、一つの缶を潰すため幾度も缶を置き換えてレバーを押さえるため、作業に多大の労力が必要で重労働であり、手間と労力のかかるものであった。
【発明の概要】
【発明を解決しようとする課題】
【０００６】  そこで、本発明は、前記従来技術に鑑み、空き缶の切断、潰しの各作業に場所を取らず、その作業の手間や労力が少なくてすみ、簡単に切断、潰しをすることができる踏み込み式缶潰し機を提供することを課題とする。
【課題を解決するための手段】
【０００７】  前記問題点を解決するために、本発明の請求項１に記載の発明の踏込み式缶潰し機は、ベース板上の前方両端に第１軸管を立設して、その中に第２軸管、第３軸管を内設して、第２軸管を支柱として切断刃を備えた切断台と直結して、下部に隣接して、第３軸管を支柱として押さえ刃を備えた押さえ台と直結して、両第１軸管の間の側面に二溝の案内溝を縦に取り付け、前部の正面に操作盤を後部に隣接して接続板を挿通させ、操作盤には正面上部に潰しボタン軸棒、切断ボタン軸棒を配設、両端部にスプリング、下端部に踏み台を備え、切断ボタン軸棒を押し操作盤と前記切断台を接続して踏み台を踏み込み、切断台が押さえ台を押さえて共に下方に可動する、また、操作盤に配設している潰しボタン軸棒を押し、操作盤と缶潰し機構に連結している後部の接続板と接続して、踏み台を踏み込んで可動することを特徴とするものである。
【０００８】  また、本発明の請求項２に記載の発明の踏込み式缶潰し機は、請求項１に記載の踏込み式缶潰し機において、缶潰し機構は、操作盤に配設している潰しボタン軸棒を押し、操作盤と後部の接続板と接続して、接続板の後面下部に接続軸棒を備え、缶潰し機構の受け軸を設け連結して、レバー、レバー軸を設け、隔壁上部に支軸を備え支柱にして、連結部材、連結軸、潰し軸棒、安定軸、缶潰し板を連結して操作盤の下部に設けている踏み台を踏み込み下方に可動させるものである。
【発明の効果】
【０００９】  以上の説明から明らかなように本発明に係る踏込み式缶潰し機は、以下に列挙する実用上の様々の優れた効果を有する。
本発明に係る踏込み式缶潰しは軽量で持ち運びに便利で、本機のみで切断、潰しを踏み台を踏むだけで行うことができ、空き缶潰しの各作業の場所をとらず、その作業の手間や労力が少なくてすみ、簡単に切断、潰しを行うことができ優れた効果を有する。
【図面の簡単な説明】
【００１０】
【図１】本発明の実施例における踏込み式缶潰し機の正面図である。
【図２】本発明の実施例における踏込み式缶潰し機の左側図面である。
【図３】本発明の実施例における踏込み式缶潰し機の操作盤と切断台を接続した際の一部断面省略左側面図である。
【図４】本発明の実施例における踏込み式缶潰し機の押さえ台止めレバーを収めた際の拡大側面図である。
【図５】本発明の実施例における踏込み式缶潰し機の後面図である。
【図６】本発明の実施例における踏込み式缶潰し機の平面図である。
【図７】本発明の実施例における踏込み式缶潰し機の踏込み台を踏んで下げた際の正面図である。
【図８】本発明の実施例における踏込み式缶潰し機の切断台と押さえ台を下げて空き缶を切断した際の左側面説明図である。
【図９】本発明の実施例のおける踏込み式缶潰し機の操作盤と切断台を接続して下げた際の一部断面省略左側面図である。
【図１０】本発明の実施例における踏込み式缶潰し機の押さえ台レバーを開いて止めた際の拡大側面図である。
【図１１】本発明の実施例における踏込み式缶潰し機の押さえ台で空き缶を押さえた際の左側面説明図である。
【図１２】本発明の実施例における踏込み式缶潰し機の操作盤と缶潰し機構の接続板を接続した際の一部断面省略左側面図である。
【図１３】本発明の実施例における踏込み式缶潰し機の押さえ台で空き缶を少し押さえ込んだ際の左側面図である。
【図１４】本発明の実施例における踏込み式缶潰し機の操作盤と接続板を接続して下げた際の一部断面省略左側面図である。
【図１５】本発明の実施例における踏込み式缶潰し機の空き缶を潰した際の後面図である。
【図１６】本発明の実施例における踏込み式缶潰し機の空き缶を潰した際の平面図である。
【発明を実施するための形態】
【００１１】  以下、本発明に係る踏込み式缶潰し機の実施の形態例を図面に基づいて説明する。
本発明に係る踏込み式缶潰し機１は、空き缶を押さえ切断して潰す構成である。図１、図２及び図３に示すように、主に、ベース板２、第１軸管４を立設、その中に第２軸管７ａ、第３軸管８ａを内設し直結している切断台７ｂ及び押さえ台８ｂを備えて、これを、操作する操作盤５を設けている。また、空き缶Ｋの潰しを可能にする缶潰し機構９を操作している、接続板６と操作盤５から構成されている。
ここで、空き缶Ｋとは一斗缶の空き缶を意味するものである。
【００１２】  前記第１軸管４を、図１、図２及び図３，図６に示すように、ベース板２の前方両端部にそれぞれ垂直に立設し、最上部に軸蓋４ａを取り付け、横向きに手摺４ｃを連着し、その手前方向にハンドル４ｂを取り付けている。また、左右両方の第１軸管４の内側横面に２溝の案内溝４ｅを縦に取り付け、向かって正面に操作盤５を挿通させ、後部に隣接して接続板６を挿通させ、案内溝４ｅの後部中間に突起部４ｆを固着している。更に、第１軸管４に第３軸管８を内設して、その中に第２軸管７ａを内設し、上下作動を安定よくする為、安定部材７ｇを第２軸管７ａの上端と下端に設けている。
【００１３】  前記操作盤５は、図１、図３及び図６に示すように、ベース板２上の前部両端に第２軸管７ａ及び第３軸管８ａを内設して垂直に立設し、両端双方の間に２溝の案内溝４ｅを縦に取り付け、正面に操作盤５、その後部に隣接して接続板６を挿通させ。更に、操作盤５の正面上部の中央に切断ボタン軸棒５ｃ、潰しボタン軸棒５ｄを配設している。また、両端に後部の接続板スプリング６ｅに結ぶ金具６ｇｆを介する金具開口部５ｆを設け、上部両端のスプリングケース４ｇ内に操作盤スプリング５ｅを設けている。下端部に、第１軸管４に内設している第２軸管７ａ、第３軸管８ａの操作を可能にする踏み台５ａを配設してなるものである。
【００１４】  前記切断台７ｂは、図２、図３及び図５、図６に示すように、両方の前記第１軸管４の中に第２軸管を内設し、側面後部に縦孔４ｄを設け、そこを介して直結し長方形の台状をした切断台７ｂを備え、第２軸管７と切断台７ｂは一体している。切断台手前に切断台隔壁７ｃを設け中央部に軸棒受け７ｆ設け、操作盤５に配設している切断ボタン軸棒５ｃを押圧し接続して可動できるようにしている。また、切断台７ｂの先端部の切断隔壁７ｃに切断刃７ｄをボルト８ｅで取り付け、切断刃７ｄの刃先に摩耗を防ぐ為に剣先７ｅを取り付けてなるものである。
【００１５】  前記押さえ台８ｂは、図２、図５及び図６、図８に示すように、両方の前記第１軸管４と第２軸管７ａとの間に第３軸管８ａを内設し、第１軸管４に縦孔４ｄを設け、そこを介して直結し長方形の台状をした押さえ台８ｂを設置している。また、第３軸管８ａと押さえ台８ｂは直結して一体とし、切断台７ｂの下部に隣接して設置している。更に、押さえ台８ｂの手前に押さえ台隔壁８ｃを設け、バネ部材８ｇを付着し、押さえ台８ｂの可動を停止する際の止めレバー８ｆを備えている。また、先端部の隔壁８ｃに切断刃７ｄと対角線状に中央部を離し、ボルト８ｅで締めて付けて押さえ刃８ｄを配設している。
【００１６】  前記接続板６は、図１２、図１３及び図１４、に示すように、前記第１軸管４の内側横に２溝の案内溝４ｅを取り付け、正面に操作盤５を、後部に隣接し接続板６を挿通させる。接続板６前面の上部中央に操作盤５に配設している、潰しボタン軸棒５ｄを押圧して接続される軸棒受け６ａを設置されている。その、下部に操作盤５に配設している切断ボタン軸棒５ｃと切断台７ｂを接続している部分に軸棒開口部６ｆを設けている。接続板６の中央両端に金具６ｇを取り付けて、正面の上部両端にスプリングケース４ｇ内に接続板スプリング６ｅを設け接続している。後面の中央部にレバー押さえ部材６ｃを装備、その下部に押さえ台８ｂの戻り止め部６ｄを設け、中央下部に接続軸棒６ｂを備え隔壁３ａの開口部３ｂを介して缶潰し機構９に接続されてなるものである。
【００１７】  缶潰し機構９は、図１５，図１６に示すように、前記接続板６後面の下部中央の、接続軸棒６ｂを隔壁３ａの開口部３ｂを介して缶潰し機構９の受け軸９ａに接続されている。次に、レバー９ｂ、レバー軸１０を備え、隔壁３ａの後面上部に回動軸１１を固着し、そこを支柱にして連結部材１２、連結軸１２ａ、潰し軸棒１３、安定軸１３ａ、缶潰し板１３ｂを連設してなるものである。
【００１８】  次に、本発明に係る缶潰し機の使用方法について図面に基づき説明する。
切断工程について説明する。
このようにして構成される空き缶潰し機は、図２、図６に示すように、空き缶Ｋを反して底の部分を上向きにして、ベース板２上の空き缶設置具２ａに当てて置き準備をする。
【００１９】  図１、図３に示すように、正面の操作盤５に配設されている切断ボタン軸棒５ｃを押して操作盤５のボタン軸５ｂに沿って、図７に示すように、後部の接続板６の軸棒開口部６ｆを介し、切断台７ｂの手前の隔壁７ｃに設けている軸棒受け７ｆに押圧し接続され、操作盤５と切断台７ｂを連結させる。
【００２０】  次に、図７、図８及び図９に示すように、正面の操作盤５の下端部に設けている踏み台５ａを足で踏み込み、左右両方の第１軸管４に取付けている二溝ある前部の案内溝４ｅに沿って操作盤５を下端部へ可動する。また、切断台７ｂに連結した切断ボタン軸棒５ｃは、図７に示すように、操作盤５と切断台７ｂ間の接続板６の軸棒開口部６ｆ内に沿って下方に移動する。同時に、正面の上部両端に備えているスプリングケース４ｇ内の操作盤スプリング５ｅは、に伸ばされる。また、操作盤５と連結された、切断台７ｂの両枠手前のケース内３に備えている押さえ台スプリング８ｈの内側に隣接して備えている切断台スプリング７ｈも下部に伸ばされる。
【００２１】  更に、図５、図６及び図８に示すように、切断台７ｂは、両左右の第１軸管４内に設されている第３軸管８ａの中で、支軸としている第２軸管７ａと切断台７ｂの枠で直結されている。切断台７ｂの枠は、左右の第１軸管４の後部で、手前の切断台隔壁７ｃと先端部の切断台隔壁７ｃを横に組ん長方形の台状をした切断台７ｂからなるものである。次に、可動した切断台７ｂは、先端部の切断台隔壁７ｃにボルト８ｅで横向きに取り付けている三角状の切断刃７ｄが、あらかじめ、設置されている空き缶Ｋと対角線状に押し下げられ切断する。更に、切断刃７ｄの先に剣先７ｅを取り付け、空き缶Ｋの中心部に穴を開け穴から切断を開始することで、切断刃７ｄの先の摩耗を低減し、また、容易に切断することができる。
【００２２】  また、第２軸管７ａに直結している切断台７ｂの枠は、第１軸管４の縦孔４ｄに沿って下方に移動する。また、第２軸管７ａの最上部と下部にブレ止め７ｇを設けて、第１軸管４と第３軸管８ａの接圧を防ぎ軸ブレのないように下方に可動するようにしている。
【００２３】  押さえ台８ｂは、図８、図９に示すように、第１軸管４の後部で切断台７ｂの下部で隣接して設置され、空き缶Ｋを切断のため切断台７ｂが下方に可動する際に、ともに、押さえ台８ｂを押さえて下げる。同時に、押さえ台８ｂの両枠手前のケース３内に切断台スプリング７ｈと隣接して設けている押さえ台スプリング８ｈも下部に伸ばされる。
【００２４】  更に、押さえ台は８ｂ、図５、図８に示すように、両左右の第１軸管４と第２軸管７ａの間で、支柱として内設されている第３軸部８ａと押さえ台８ｂの枠で直結されて可動する。その押さえ台８ｂの枠は、両左右の第１軸管４の後部で手前の押さえ台隔壁８ｃと先端部の押さえ台隔壁８ｃを横に組んだ長方形の台状をした押さえ台８ｂからなるものである。次に、空き缶Ｋを押さえた押さえ台８ｂは、先端部の押さえ台隔壁８ｃに、ボルト８ｅで縦向きに中心部を離している三角状の押さえ刃８ｄが、あらかじめ、設置されている空き缶Ｋを切断刃７ｄと対角線状に押し下げられ空き缶Ｋを押さえた位置で停止する。
【００２５】  また、図５、図８に示しているように、第３軸管８ａに直結している押さえ台８ｂの枠は、第１軸管４の縦孔４ｄに沿って下方に移動する。また、押し下げられた第３軸管８ａは、第２軸管７ａの最上部と最下部にブレ止め７ｇを設けて、第１軸管４と第２軸管の間で接圧を防ぎ軸ブレがないように下部に可動するようにしている。
【００２６】  このとき、図９、図１０に示すように、停止した押さえ台８ｂの手前の押さえ台隔壁８ｃに設けている止めレバー８ｆが、接続板６のレバー押さえ部材６ｃに当接し下部の戻り止め部６ｄの位置まで下げられ。そこで、バネ部材８ｇの付勢力にて止めレバー８ｆが開き、レバー押さえ部材６ｃ下部の戻り止め部６ｄの段部に当接して押さえ台８ｂを停止させる。
【００２７】  次に、空き缶Ｋの切断が完了した切断台７ｂは、図１１に示すように、前記正面の操作盤５の下端に設けている踏み台５ａを踏み込んでいた足を放す。同時、前記正面の上部両端に備えているスプリングケース４ｇ内の操作盤スプリング５ｅと、操作盤５と連結されている切断台７ｂの両枠手前のケース３内に備えている切断台スプリング７ｈはスプリングの引っ張り力で上部に戻される。同時に、左右両方の第１軸管４に取り付けている二溝ある前部の案内溝４ｅに沿って、操作盤５と接続されている後部の切断台７ｂが上部に戻される。
【００２８】  また、図１１に示すように、戻された切断台７ｂは同枠で直結されている、両左右の第１軸管４に内設されている第３軸管８ａ内で、支柱として内設しされている第２軸管７ａも上部に戻される。また、あらかじめ、設置されている空き缶Ｋを切断した切断刃７ｄは、中央部の離れた押さえ刃８ｄで対角線状に押さえ、空き缶Ｋの持ち上げを防止した状態で抜き抜かれ上部の所定位置に戻される。
【００２９】  そこで、図１、図１１に示すように、正面の操作盤５に配設されている切断ボタン軸棒５ｃを押して接続板６の軸棒開口部６ｆを介して、切断台７ｂの手前の隔壁３ａに設けている軸棒受け７ｆに押圧し操作盤５と切断台７ｂが連結されていたのが元の所定位置に戻され切断を完了する。
以上のように、空き缶の底の部分を切断して潰すと、作業を容易に実行することができる。
【００３０】  空き缶Ｋの潰す工程について説明をする。
以上のように、図１１に示すように、押さえ台８ｂが空き缶Ｋを押さえた状態で停止して、切断を完了して切断刃７ｄは上部の所定位置に戻る。次に、図１、図１２に示すように、正面の操作盤５に配設されている、切断ボタン軸棒５ｃの下部の潰しボタン軸棒５ｄを押して操作盤５と後部で隣接している接続板６の軸棒受け６ａに押圧し接続され操作盤５と接続板６を連結する。
【００３１】  次に、図１、図１３に示すように、正面の操作盤５の下端に設けている踏み台５ａを足で踏み込み、左右両方の第１軸管４の間に取り付けている二溝の案内溝４ｅに沿って前面の操作盤５と後面に接続している接続板６を共に下方へ可動する。
【００３２】  その時、図１１に示すように、空き缶Ｋを押さえて停止していた押さえ台８ｂが更に、図１２、図１３に示すように、手前の押さえ台隔壁８ｃに設けている止めレバー８ｆが、接続板６の後部の戻り止め部６ｄの段部に押さえられ押さえ刃８ｄの高さ分押さえ台８ｂを下げる。その時、押さえ台８ｂに取り付けている押さえ刃８ｄが空き缶Ｋを押さえ刃８ｄの高さ押さえることで、下方の内側に向かって切口と対角線状に折り目を付けて空き缶Ｋを正確に潰す導きを取る事ができる。
【００３３】  また、図４、図１４に示すように、押さえ台８ｂが押さえ刃の高さ下がたところで、止めレバー８ｆは案内溝の後部中間に取り付けている突起部４ｆに当接して押さえ台隔壁８ｃに収まる。更に、前記接続板６が下端部へ下がると、収まった止めレバー８ｆは接続板６の後部に備えているレバ押さえ部材６ｃに当接して押さえ台スプリング８ｈの引っ張り力によって押さえ台８ｂは上部の切断台７ｂの下部へ隣接して戻される。
【００３４】  また、図２に示すように、戻された押さえ台８ｂは同枠で直結されている、左右両方の第１軸管４と第２軸管７ａとの間で支柱として内設されている第３軸管８ａも上部に戻される。また、あらかじめ、設置されている空き缶Ｋを押さえていた押さえ台に設けている押さえ刃８ｄも、上部の切断台の下部に戻される。
【００３５】  更に、図７、図１４、に示すように、操作盤５に設けている踏み台５ａを踏み込み下部に可動させると共に、正面の上部両端に備えているスプリングケース４ｇ内の操作盤スプリング５ｅが下部まで伸ばされる。また、操作盤５と連結されている接続板６も、その両端部に取り付けている金具６ｇを操作盤５の金具  開口部５ｆを介して取り付けている、正面のスプリングケース内４ｇの接続板スプリング６ｅを下部まで伸ばされる。
【００３６】  次に、下端部に下げられた接続板６は、図１５、図１６に示すように、後部の下端部に備えた接続軸棒６ｂは接続板６後部の隔壁３ａの開口部３ｂを介して缶潰し機構９の受け軸９ａに連結している。下げられた受け軸９は、両方のレバー９ｂ、レバー軸１０を両横に張り出し、支軸１１を支えに反対側の両連結部材１２と連結軸１２ａが内側に回転して挟み込み、潰し軸棒１３に連動して空き缶Ｋを安定よく潰す為に設けている安定軸１３ａで、左右両方の缶潰し板１３ｂを挟圧し空き缶Ｋを潰す。
【００３７】  次に、図１に示すように、正面の操作盤５下端に設けている踏み台５ａを踏んでいた足を放す、前記、図１に示すように、操作盤５の操作盤スプリング５ｅと操作盤５に接続されている接続板６も接続板スプリング６ｅでスプリングの引っ張り力で操作盤５と接続板６を上部に戻す。
【００３８】  その時、図１、図３に示すように、操作盤５と接続板６は、左右両方の第１軸管４の間に取り付けている二溝の案内溝４ｅに沿って共に上部に戻される。また、接続板６は後部の下端部に備えた接続軸棒６ｂと連結している缶潰し機構９も元の所定位置に戻す。
【００３９】  そこで、図１、図２に示すように、操作盤５に配設していた潰しボタン軸棒５ｄがボタン軸５ｂに沿って、手前の元の位置に戻され空き缶Ｋの潰しが完了する。
以上の如く、操作を繰り返すことにより、空き缶Ｋの切断、押さえ、潰しの各作業が実行される。
【符号の説明】
【００４０】１      踏込み式缶潰し機
２      ベース板
２ａ    空き缶設置具
３      ケース
３ａ    隔壁
３ｂ    開口部
４      第１軸管
４ａ    軸蓋
４ｂ    ハンドル
４ｃ    手摺
４ｄ    縦孔
４ｅ    案内溝
４ｆ    突起部
４ｇ    スプリングケース
５      操作盤
５ａ    踏み台
５ｂ    ボタン軸
５ｃ    切断ボタン軸棒
５ｄ    潰しボタン軸棒
５ｅ    操作盤スプリング
５ｆ    金具開口部
６      接続板
６ａ    軸棒受け
６ｂ    接続軸棒
６ｃ    レバー押さえ部材
６ｄ    戻り止め部
６ｅ    接続板スプリング
６ｆ    軸棒開口部
６ｇ    金具
７      缶切断機構
７ａ    第２軸管
７ｂ    切断台
７ｃ    切断台隔壁
７ｄ    切断刃
７ｅ    剣先
７ｆ    軸棒受け
７ｇ    ブレ止め
７ｈ    切断台スプリング
８      缶押さえ機構
８ａ    第３軸管
８ｂ    押さえ台
８ｃ    押さえ台隔壁
８ｄ    押さえ刃
８ｅ    ボルト
８ｆ    止めレバー
８ｇ    バネ部材
８ｈ    押さえ台スプリング
９      缶潰し機構
９ａ    受け軸
９ｂ    レバー
１０    レバー軸
１１    支軸
１２    連結部材
１２ａ  連結軸
１３    潰し軸棒
１３ａ  安定軸
１３ｂ  缶潰し板
Ｋ      空き缶
【図１】
2015145027.tif 000003
【図２】
2015145027.tif 000004
【図３】
2015145027.tif 000005
【図４】
2015145027.tif 000006
【図５】
2015145027.tif 000007
【図６】
2015145027.tif 000008
【図７】
2015145027.tif 000009
【図８】
2015145027.tif 000010
【図９】
2015145027.tif 000011
【図１０】
2015145027.tif 000012
【図１１】
2015145027.tif 000013
【図１２】
2015145027.tif 000014
【図１３】
2015145027.tif 000015
【図１４】
2015145027.tif 000016
【図１５】
2015145027.tif 000017
【図１６】
2015145027.tif 000018